(57)【要約】【課題】入浴者が気絶するなどの異常が発生した場合に、入浴者が低体温症となることを適切に防止または抑制することが可能な浴室システムを提供する。【解決手段】入浴者の動きが所定時間以上無い、または少ない所定の状態が発生した際に、人体検知手段Ｓａからの検知信号に基づいて前記入浴者に所定の異常が発生したと判断する制御手段２０と、前記入浴者を暖めるように浴室１内への熱供給が可能な熱供給手段２，３，４と、を備えている、浴室システムＢＳであって、制御手段２０は、前記入浴者に異常が発生したと判断した場合には、前記入浴者が低体温症になる可能性があるか否かを判断し、かつ低体温症になる可能性があると判断した場合には、この判断を契機として、熱供給手段２，３，４を作動させて浴室１内に熱供給を行なわせる。【選択図】  図１
2019039591.tif 000002
【特許請求の範囲】
【請求項１】
浴室内における入浴者の動きを検知し、かつその検知信号を出力可能な人体検知手段と、
前記入浴者の動きが所定時間以上無い、または少ない状態が発生した際に、前記検知信号に基づいて前記入浴者に所定の異常が発生したと判断する制御手段と、
前記浴室内の入浴者を暖めるように前記浴室内への熱供給が可能な熱供給手段と、
を備えている、浴室システムであって、
前記制御手段は、前記入浴者に前記異常が発生したと判断した場合には、前記入浴者が低体温症になる可能性があるか否かを判断し、かつ低体温症になる可能性があると判断した場合には、この判断を契機として、前記熱供給手段を作動させて前記浴室内に熱供給を行なわせるように構成されていることを特徴とする、浴室システム。
【請求項２】
請求項１に記載の浴室システムであって、
前記低体温症になる可能性があるか否かの判断は、前記浴室の温度が所定温度以下である場合に、低体温症になる可能性があるとする判断である、浴室システム。
【請求項３】
請求項１または２に記載の浴室システムであって、
前記浴室の浴槽の湯水を前記浴槽の外部に排出するための排水弁を備えており、
前記制御手段は、前記入浴者に前記異常が発生し、かつ前記入浴者が低体温症になる可能性があると判断したときには、前記入浴者が前記浴室のいずれの箇所に存在するかを判断し、
この判断において、前記入浴者が前記浴槽内に存在していると判断された場合には、前記排水弁を開状態とするように構成されている、浴室システム。
【請求項４】
請求項３に記載の浴室システムであって、
前記熱供給手段として、給湯装置を備えており、
前記排水弁が開状態とされて前記浴槽内の湯水が排水された後には、前記排水弁が開状態のまま、前記給湯装置から前記浴槽内に所定の温度範囲の温水が供給されるように構成されている、浴室システム。
【請求項５】
請求項４に記載の浴室システムであって、
前記浴槽内の湯水が排水された後に、前記給湯装置から前記浴槽内に供給される温水の温度は、３６.５〜３７.５℃の範囲内とされている、浴室システム。
【請求項６】
請求項１または２に記載の浴室システムであって、
前記熱供給手段として、給湯装置を備えており、
前記制御手段は、前記入浴者に前記異常が発生し、かつ前記入浴者が低体温症になる可能性があると判断したときには、前記入浴者が前記浴室のいずれの箇所に存在するかを判断し、
この判断において、前記入浴者が前記浴室の洗い場に存在していると判断された場合には、前記給湯装置が作動し、前記浴室の浴槽への湯張り動作、または前記浴槽内に存在している湯水の追い焚き動作が実行されるように構成されている、浴室システム。
【請求項７】
請求項１ないし６のいずれかに記載の浴室システムであって、
前記熱供給手段として、浴室乾燥機を備えており、
前記制御手段において、前記入浴者に前記異常が発生し、かつ前記入浴者が低体温症になる可能性があると判断されたときには、前記浴室乾燥機から前記浴室内に温風送風が行なわれるように構成されている、浴室システム。
【請求項８】
請求項７に記載の浴室システムであって、
前記制御手段は、前記入浴者の身体が水に濡れているか否かを判断可能であり、
前記入浴者の身体が水に濡れていると判断した場合には、前記温風送風は、前記入浴者を避けた位置に向けて行なわれるように構成されている、浴室システム。
【請求項９】
請求項１ないし８のいずれかに記載の浴室システムであって、
前記熱供給手段として、ミスト供給手段を備えており、
前記制御手段において、前記入浴者に前記異常が発生し、かつ前記入浴者が低体温症になる可能性があると判断されたときには、前記ミスト供給手段から前記浴室内に温水ミストが供給されるように構成されている、浴室システム。
【請求項１０】
請求項９に記載の浴室システムであって、
前記制御手段は、前記入浴者の顔部が前記ミスト供給手段の方を向いているか否かを判断可能であり、
前記入浴者の顔部が前記ミスト供給手段の方を向いていると判断された場合には、前記温水ミストの供給は実行されないように構成されている、浴室システム。
【請求項１１】
請求項１ないし１０のいずれかに記載の浴室システムであって、
前記制御手段において、前記入浴者に前記異常が発生し、かつ前記入浴者が低体温症になる可能性があると判断されたことにより、前記熱供給手段を作動させるときには、前記浴室に付属して設置されている換気扇は、オフ状態とされる、浴室システム。
【発明の詳細な説明】
【技術分野】
【０００１】
本発明は、入浴者が気絶などを生じた場合に適切な対応措置を採ることが可能とされた浴室システムに関する。
【背景技術】
【０００２】
浴室システムの具体例として、特許文献1に記載のものがある。
同文献に記載の浴室システムにおいては、入浴者の動きを検知可能な人体検知装置が浴室に設置されており、たとえば入浴者が気絶（失神）し、入浴者が動かなくなると、このことが人体検知装置を介して所定の制御手段において察知され、入浴者に異常が発生したと判断される。このような判断がなされた場合、入浴者に異常が発生した旨が浴室外のリモコンに通報される。このことにより、浴室外の人が浴室内の異常に気付くこととなり、入浴者の救助・保護を図る上で好ましいものとなる。
【０００３】
しかしながら、前記従来技術においては、次に述べるように、未だ改善すべき余地があった。
【０００４】
すなわち、入浴者が浴室で気絶するなどの異常が発生した場合、他者が直ちに浴室に駆け付けることができればよいが、そうでない場合もあり得る。ここで、冬季などの寒い時期に前記した異常が発生し、入浴者が浴室内で気絶した状態が比較的長時間にわたって継続すると、浴室温度の低下に伴い、低体温症を発症する虞がある。このような虞は、できる限り解消することが要望される。
これに対し、前記従来技術においては、異常が発生した旨を浴室外に通報するだけであるため、前記した要望に適切に応えることは困難であり、この点において未だ改善の余地がある。
【先行技術文献】
【特許文献】
【０００５】
【特許文献１】特開２００５−２５６２５号公報
【発明の概要】
【発明が解決しようとする課題】
【０００６】
本発明は、前記したような事情のもとで考え出されたものであり、入浴者が気絶するなどの異常が発生した場合に、入浴者が低体温症となることを適切に防止または抑制することが可能な浴室システムを提供することを、その課題としている。
【課題を解決するための手段】
【０００７】
上記の課題を解決するため、本発明では、次の技術的手段を講じている。
【０００８】
本発明により提供される浴室システムは、浴室内における入浴者の動きを検知し、かつその検知信号を出力可能な人体検知手段と、前記入浴者の動きが所定時間以上無い、または少ない状態が発生した際に、前記検知信号に基づいて前記入浴者に所定の異常が発生したと判断する制御手段と、前記浴室内の入浴者を暖めるように前記浴室内への熱供給が可能な熱供給手段と、を備えている、浴室システムであって、前記制御手段は、前記入浴者に前記異常が発生したと判断した場合には、前記入浴者が低体温症になる可能性があるか否かを判断し、かつ低体温症になる可能性があると判断した場合には、この判断を契機として、前記熱供給手段を作動させて前記浴室内に熱供給を行なわせるように構成されていることを特徴としている。
【０００９】
このような構成によれば、次のような効果が得られる。
すなわち、入浴者が浴室内において気絶するなどの異常が生じた場合に、この入浴者が低体温症になる可能性があると、熱供給手段が作動し、浴室内に熱供給が行なわれるため、入浴者の体温が下降することは適切に抑制される。したがって、冬季などの寒い時期において、入浴者に所定の異常が発生してから他者が浴室に駆け付ける迄の時間が長くなるような場合であっても、その期間中に入浴者が低体温症になることを適切に防止または抑制することが可能である。
【００１０】
本発明において、好ましくは、前記低体温症になる可能性があるか否かの判断は、前記浴室の温度が所定温度以下である場合に、低体温症になる可能性があるとする判断である。
【００１１】
このような構成によれば、浴室内において気絶などを生じた入浴者が低体温症になるか否かの判断を、容易かつ的確に行なうことが可能である。
【００１２】
本発明において、好ましくは、前記浴室の浴槽の湯水を前記浴槽の外部に排出するための排水弁を備えており、前記制御手段は、前記入浴者に前記異常が発生し、かつ前記入浴者が低体温症になる可能性があると判断したときには、前記入浴者が前記浴室のいずれの箇所に存在するかを判断し、この判断において、前記入浴者が前記浴槽内に存在していると判断された場合には、前記排水弁を開状態とするように構成されている。
【００１３】
このような構成によれば、浴槽内で気絶などを生じた入浴者が、浴槽の湯水中に溺没することを適切に防止することが可能である。
【００１４】
本発明において、好ましくは、前記熱供給手段として、給湯装置を備えており、前記排水弁が開状態とされて前記浴槽内の湯水が排水された後には、前記排水弁が開状態のまま、前記給湯装置から前記浴槽内に所定の温度範囲の温水が供給されるように構成されている。
【００１５】
このような構成によれば、浴槽内に所定の温度範囲の温水が供給されることにより、浴槽内で気絶などを生じている入浴者に温水を掛け流し状態で作用させるなどし、入浴者を暖めることが可能となる。排水弁は開状態のままであるため、浴槽内に多くの温水が溜まって入浴者がその温水中に溺没する事態も適切に回避することができる。
【００１６】
本発明において、好ましくは、前記浴槽内の湯水が排水された後に、前記給湯装置から前記浴槽内に供給される温水の温度は、３６.５〜３７.５℃の範囲内とされている。
【００１７】
このような構成によれば、次のような効果が得られる。すなわち、３６.５〜３７.５℃は、健康な人の深部体温に相当する。このため、そのような温度の温水を利用すれば、温水の温度が高過ぎ、あるいは低過ぎにならないようにして、入浴者を適切に温めることが可能となる。
【００１８】
本発明において、好ましくは、前記熱供給手段として、給湯装置を備えており、前記制御手段は、前記入浴者に前記異常が発生し、かつ前記入浴者が低体温症になる可能性があると判断したときには、前記入浴者が前記浴室のいずれの箇所に存在するかを判断し、この判断において、前記入浴者が前記浴室の洗い場に存在していると判断された場合には、前記給湯装置が作動し、前記浴室の浴槽への湯張り動作、または前記浴槽内に存在している湯水の追い焚き動作が実行されるように構成されている。
【００１９】
このような構成によれば、浴槽への湯張り、または浴槽内に存在している湯水の追い焚き動作が行なわれることによって、浴室全体の温度が上昇する効果が期待できる。したがって、洗い場に存在する入浴者を暖めて、低体温症にならないようにすることが、簡易な手段によって適切に実現できる。
【００２０】
本発明において、好ましくは、前記熱供給手段として、浴室乾燥機を備えており、前記制御手段において、前記入浴者に前記異常が発生し、かつ前記入浴者が低体温症になる可能性があると判断されたときには、前記浴室乾燥機から前記浴室内に温風送風が行なわれるように構成されている。
【００２１】
このような構成によれば、気絶などを生じている入浴者が、浴室の浴槽内および洗い場のいずれに存在するかを問うことなく、温風送風によって入浴者を適切に温めることが可能である。
【００２２】
本発明において、好ましくは、前記制御手段は、前記入浴者の身体が水に濡れているか否かを判断可能であり、前記入浴者の身体が水に濡れていると判断した場合には、前記温風送風は、前記入浴者を避けた位置に向けて行なわれるように構成されている。
【００２３】
このような構成によれば、温風送風によって入浴者の体温が下がる虞を適切に回避することが可能である。すなわち、入浴者の身体が水に濡れている場合、入浴者に温風を直接送風すると、入浴者の身体を却って冷やしてしまう虞があるが、前記構成によれば、そのような虞を回避することが可能である。
【００２４】
本発明において、好ましくは、前記熱供給手段として、ミスト供給手段を備えており、前記制御手段において、前記入浴者に前記異常が発生し、かつ前記入浴者が低体温症になる可能性があると判断されたときには、前記ミスト供給手段から前記浴室内に温水ミストが供給されるように構成されている。
【００２５】
このような構成によれば、温水ミストを利用して入浴者を積極的に温めることができ、低体温症を適切に防止することが可能である。
【００２６】
本発明において、好ましくは、前記制御手段は、前記入浴者の顔部が前記ミスト供給手段の方を向いているか否かを判断可能であり、前記入浴者の顔部が前記ミスト供給手段の方を向いていると判断された場合には、前記温水ミストの供給は実行されないように構成されている。
【００２７】
このような構成によれば、気絶などを生じている入浴者の顔部の各所に多くのミストが当たり、かつこれが水滴化する不具合を適切に回避することができる。
【００２８】
本発明において、好ましくは、前記制御手段において、前記入浴者に前記異常が発生し、かつ前記入浴者が低体温症になる可能性があると判断されたことにより、前記熱供給手段を作動させるときには、前記浴室に付属して設置されている換気扇は、オフ状態とされる。
【００２９】
このような構成によれば、次のような効果が得られる。すなわち、入浴者の低体温症を防止すべく熱供給手段を作動させている際に、前記換気扇が仮にオン状態とされていたのでは、浴室の温度を早期に上昇させるといったことが困難化する虞がある。これに対し、前記構成によれば、換気扇がオフ状態とされるために、前記した虞を適切に解消することが可能である。
【００３０】
本発明のその他の特徴および利点は、添付図面を参照して以下に行なう発明の実施の形態の説明から、より明らかになるであろう。
【図面の簡単な説明】
【００３１】
【図１】本発明に係る浴室システムの一例を示す概略断面図である。
【図２】（ａ），（ｂ）は、浴室システムにおいて入浴者に異常が発生した状態を模式的に示す平面図である。
【図３】図１に示す浴室システムにおいて実行される動作制御手順の一例を示すフローチャートである。
【図４】図３に示す動作制御手順に追加して実行される動作制御手順の一例を示すフローチャートである。
【図５】本発明の他の例を示す要部説明図である。
【発明を実施するための形態】
【００３２】
以下、本発明の好ましい実施の形態について、図面を参照して具体的に説明する。
【００３３】
図１に示す浴室システムＢＳは、浴槽１０およびこれに隣接する洗い場１１を有する浴室１、浴槽１０内への給湯動作が可能な給湯装置２、浴室１の天井部に設置された浴室乾燥機３、少なくとも１つのミスト噴出ノズル４、および換気扇５を備えている。
給湯装置２、浴室乾燥機３、およびミスト噴出ノズル４のそれぞれは、本発明でいう「熱供給手段」の具体例に相当する。
【００３４】
給湯装置２は、たとえば瞬間式のガス給湯装置またはオイル給湯装置などであり、そのハード構成自体は、従来既知のものと同様であって、各部の動作を制御する制御部２０、この制御部２０に通信接続された浴室リモコン２１Ａおよび台所リモコン２１Ｂ、ならびに外気温センサＳｄなどを備えている。この給湯装置２は、浴槽１０の循環アダプタ１０ａに配管部２９（往き管および戻り管）を介して配管接続されており、浴槽１０への湯張り動作、および浴槽１０に溜められた湯水の追い焚き動作が可能である。浴槽１０の底部の排水口１０ｂには、制御部２０によって遠隔制御される開閉弁としての排水弁Ｖ１（排水栓）が設けられており、浴槽１０内の湯水のいわゆる自動排水が可能である。
【００３５】
浴室リモコン２１Ａには、浴室１の温度（室温）を検出するための温度センサＳｂ、および人体検知センサＳａが設けられている。人体検知センサＳａは、本発明でいう「人体検知手段」の一例に相当し、たとえば焦電素子を用いたイメージセンサ（赤外線カメラ）であり、入浴者を含め、浴室１内の赤外画像を撮像可能である。人体検知センサＳａはシャワーの水流等も検知可能としてもよい。人体検知センサＳａの撮像範囲は、浴室１内の略全域とされている。１つの人体検知センサＳａによって浴室１の略全域を撮像できない場合には、人体検知センサＳａを複数設けた構成とすることが可能である。また、人体検知センサＳａは、浴室リモコン２１Ａとは異なる部位に設けてもよい。人体検知センサＳａからの出力信号（撮像画像データ）は、給湯装置２の制御部２０に送られる。
【００３６】
制御部２０は、本発明でいう「制御手段」の一例に相当する。この制御部２０においては、人体検知センサＳａからの出力信号に基づき、入浴者の位置や、動きの有無などが判断され、かつ入浴者がたとえば気絶して動かなくなった状態、あるいは動きが少なく、その動き量が所定レベル以下である状態が所定時間継続した場合には、入浴者に異常が発生したものと判断される。その後は、入浴者が低体温症になる可能性があるか否かなどが判断され、後述する種々の動作処理が実行される。好ましくは、制御部２０においては、入浴者の頭部の位置や、顔部の向きなども判断できるように構成されている。
【００３７】
浴室乾燥機３は、ファン３１、加熱用熱交換器３２、ルーバ３３、浴室乾燥機３の各部
の動作を制御する制御部３０、およびこれらを内部に収容する筐体３４を備えている。
ファン３１は、浴室１の天井部に設けられた給気口３５から浴室１内のエアを吸い込み、かつエア吹き出し口に設けられたルーバ３３を介して浴室１内にエア送風を行なわせる。加熱用熱交換器３２は、給気口３５からファン３１に吸い込まれるエアを加熱するための加熱手段である。この加熱用熱交換器３２には、たとえば給湯装置２から加熱湯水が供給可能であり、このような加熱湯水の供給時には、ルーバ３３から浴室１内に温風送風がなされる。加熱湯水の非供給時には、いわゆる冷風送風としてのエア送風が可能である。ルーバ３３は、モータＭ１の駆動により角度変更自在であり、ルーバ３３からの送風方向を変更可能である。
【００３８】
ミスト噴出ノズル４は、浴室乾燥機３に組み付けられている。ミスト噴出ノズル４からのミスト噴出は、ミスト用の給水配管部４０に設けられた開閉弁Ｖ２を開閉させることにより、オン・オフ切り替え可能である。給水配管部４０には、内部を通過する湯水を加熱可能な加熱部４１も設けられている。このため、ミストの種類としては、加熱部４１により加熱された湯水をミスト化した温水ミスト、および非加熱の湯水をミスト化した非温水ミストのいずれかを選択可能である。加熱部４１は、たとえば加熱用熱交換器３２と同様に、給湯装置２から湯水供給を受ける熱交換器とすることができる。ミスト噴出ノズル４は、モータＭ２の駆動により角度変更自在であり、ミスト噴出ノズル４からのミスト噴出方向を変更可能である。
【００３９】
換気扇５は、浴室乾燥機３の筐体３４を利用して設けられており、浴室１内のエアを給気口３５から吸い込み、屋外に排気可能である。換気扇５および浴室乾燥機３の動作は、給湯装置２の制御部２０によって制御可能とされている。
【００４０】
次に、前記した浴室システムＢＳにおいて実行される動作処理手順の一例について、図３および図４に示したフローチャートを参照しつつ説明し、併せてその作用を説明する。
【００４１】
まず、給湯装置２の制御部２０は、好ましくは、人体検知センサＳａを常時駆動オン状態とし、浴室１内における入浴者の有無、および浴室１内に入浴者が存在する際にはその動きを監視している（Ｓ１）。このような監視状態において、入浴者が気絶するなどして、その動きが停止し、または僅かに動くだけの状態が発生し、かつこのような状態が所定時間継続すると、その時点で少なくとも浴室リモコン２１Ａからは、視覚的または聴覚的に認識可能な警報が発せられる（Ｓ２：ＹＥＳ，Ｓ３：ＹＥＳ，Ｓ４）。仮に、入浴者に異常がなく、入浴者が暫くの間、動きを単に止めていただけの場合、入浴者は前記した警報を察知することにより身体を動かすこととなるため、この場合には入浴者に異常が発生したとの判断はなされない（Ｓ５：ＮＯ，Ｓ１）。
【００４２】
前記警報が発せられたにも拘わらず、入浴者の動きがなく、または少ない状態がその後の所定時間にわたって依然として継続した場合、制御部２０は入浴者に異常があると判断する（Ｓ５：ＹＥＳ，Ｓ６）。この場合、入浴者に異常がある旨が、少なくとも台所リモコン２１Ｂを利用して視覚的および聴覚的に認識可能な態様で報知されるとともに、給湯装置２の動作が停止される（Ｓ７）。すなわち、浴槽１０への湯張りや、風呂追い焚きなどが実行されていた場合、そのような動作は停止される。前記した報知は、台所リモコン２１Ｂとは別の通信機器、たとえば携帯型通信端末などに対して行なわれるようにすることが可能である。異常が発生した旨の報知が、たとえば入浴者の家族などによって察知され、浴室リモコン２１Ａや台所リモコン２１Ｂが操作された場合、制御部２０は入浴者に異常が生じたとする先の判断をキャンセルするとともに、前記した報知動作を停止し、元の異常発生前の初期状態に復帰する（Ｓ８：ＮＯ，Ｓ２０，Ｓ１）。
【００４３】
一方、前記とは異なり、異常が発生した旨の報知がなされたにも拘わらず、浴室リモコ
ン２１Ａや台所リモコン２１Ｂが操作されない場合には、入浴者が浴槽１０内に存在するか否かが制御部２０において判断される（Ｓ８：ＹＥＳ，Ｓ９）。図２（ａ）は、入浴者が浴槽１０内に存在する場合、同図（ｂ）は、入浴者が洗い場１１に存在する場合の例を示している。
【００４４】
前記判断において、入浴者が浴槽１０内に存在すると判断された場合には、浴槽１０の湯水を排水させるべく排水弁Ｖ１が開状態とされる（Ｓ９：ＹＥＳ，Ｓ１０）。排水弁Ｖ１を開状態とし、浴槽１０の水位を低下させれば、気絶などを生じている入浴者が浴槽１０の湯水中に溺没することを防止することが可能である。排水弁Ｖ１を開状態とする制御は、浴槽１０内に入浴者が存在する限りは、浴槽１０内に湯水が存在するか否かを判断することなく、常に実行されるように構成することが可能である。図３のフローチャートでは、入浴者が洗い場１１に存在する場合、排水弁Ｖ１を開状態とする動作は実行されないが（Ｓ９：ＮＯ）、これに限定されず、排水弁Ｖ１を開状態としてもよい。
【００４５】
その後、制御部２０においては、入浴者が低体温症となる可能性があるか否かが判断される（Ｓ１１）。この判断においては、たとえば温度センサＳｂを用いて検出される浴室温度が、所定温度Ｔａ（たとえば２５℃）以下であると、入浴者が低体温症になる可能性があると判断される。所定温度Ｔａは、必ずしも一定の値でなくてもよく、たとえば外気温が低く、浴室温度が早期に低くなり易い場合ほど所定温度Ｔａを高くするなど、外気温に対応させて変動させてもよい。低体温症になり易さには個人差があるため、閾値となる所定温度Ｔａを、ユーザが適宜変更できるようにしてもよい。また、低体温症となる可能性があるか否かの判断要素として、浴室温度以外のパラメータを加えてもよい。
【００４６】
入浴者が低体温症となる可能性があると判断された場合、換気扇５がオフとされて、浴室１内の熱を外部に多く逃げないようにされるとともに（Ｓ１１：ＹＥＳ，Ｓ１２）、次のような動作制御も実行される。
【００４７】
すなわち、入浴者が浴槽１０内に存在する場合には、給湯装置２から浴槽１０への温水供給が行なわれるとともに、浴室乾燥機３からは温風送風がなされ、かつミスト噴出ノズル４からは温水ミストが噴出される（Ｓ１３：ＹＥＳ，Ｓ１４，Ｓ１５）。
【００４８】
前記した浴槽１０への温水供給は、排水弁Ｖ１を開状態としたまま実行し、その温水温度は、たとえば健康な人の深部体温である３６．５〜３７．５℃の範囲とされる。入浴者が浴槽１０内に存在する状態で、循環アダプタ１０ａから浴槽１０内に温水供給が行なわれれば、この温水の少なくとも一部が入浴者の身体に掛かることや、入浴者の身体が浴槽１０の底面上に供給された温水に触れることが期待できる。したがって、入浴者を暖めることが可能となる。前記温水は、浴槽１０を暖める他、浴室１内の空気をも暖めるため、このことによっても入浴者の体温低下を抑制することが可能である。温水の温度が、前記した３６．５〜３７．５℃の範囲であれば、入浴者に温水が掛かっても、入浴者にダメージを与えることはなく、入浴者の体温を本来の体温に維持するのに好適である。浴槽１０内に供給された温水は、排水口１０ｂおよび排水弁Ｖ１を通過して排水され、浴槽１０の水位が高くなることはないため、入浴者が浴槽１０の湯水中に溺没することは、やはり適切に防止される。
【００４９】
フローチャートには示されていないが、好ましくは、制御部２０は、浴槽１０内への前記した温水供給に際し、入浴者の頭部の位置、および浴槽１０の水位を判断し、かつ入浴者の頭部が浴槽１０の湯水内に沈む可能性があるか否かをも判断するように構成されている。この判断において、入浴者の頭部が浴槽１０の湯水内に沈む可能性があると判断された場合、浴槽１０への温水供給は中止される。排水弁Ｖ１を開状態とした場合であっても、たとえば排水口１０ｂが入浴者の身体によって塞がれるなどの理由から、浴槽１０内の
湯水を円滑に排水することができない事態が生じ得る。前記した動作制御によれば、そのような事態が生じた場合にも好適に対処することができる。
【００５０】
前記した浴室乾燥機３からの温風送風、およびミスト噴出ノズル４からの温水ミスト噴出は、浴室温度を上昇させる。このため、入浴者の体温が低下し、低体温症となることをより徹底して防止することが可能となる。
【００５１】
ここで、好ましくは、制御部２０は、入浴者の身体が水に濡れているか否かを判断可能であり、かつ水に濡れていると判断した場合、浴室乾燥機３からの温風送風は、洗い場１１に向けて行なわれるように制御される。入浴者が浴槽１０内に存在している場合、それ以前において、浴槽１０に湯張り、または風呂追い焚き動作がなされていれば、入浴者は浴槽１０の湯水に浸かっており、その身体が水に濡れているものと判断することが可能である。入浴者の身体が水に濡れている場合に、入浴者に向けて温風送風がなされると、入浴者を却って冷やしてしまう虞があるが、前記した制御によれば、そのような虞をなくすことが可能である。
【００５２】
また、より好ましくは、制御部２０は、人体検知センサＳａからの信号に基づき、入浴者の顔部の向きを判別可能であり、かつ入浴者の顔部がミスト噴出ノズル４の方を向く場合には、ミスト噴出ノズル４からのミスト噴出はなされないように制御される。気絶などを生じている入浴者の顔部に多くのミストが当たり、これが水滴化することは、余り好ましくないが、前記制御によれば、そのようなことが適切に回避される。
【００５３】
前記とは異なり、気絶などを生じた入浴者が洗い場１１に存在している場合には、浴槽１０に溜まっている湯水の加熱（風呂追い焚き）、または浴槽１０内への温水供給が行なわれる（Ｓ１３：ＮＯ，Ｓ１７）。また、浴室乾燥機３からは温風送風がなされ、かつミスト噴出ノズル４からは温水ミストが噴出される（Ｓ１８）。
【００５４】
前記した浴槽１０の湯水の加熱、または浴槽１０内への温水供給が行なわれれば、浴槽１０の湯水が熱源となって、浴室温度を上昇させる結果、入浴者を暖めることが可能となる。入浴者は、洗い場１１に存在するため、浴槽１０内にはやや高めの温度の湯水を溜めてもよく、またその湯水量を多くすることもできる。なお、浴槽１０に溜まっている湯水の加熱（風呂追い焚き）は、排水弁Ｖ１が閉状態で行なわれることは勿論であるが、浴槽１０内への温水供給も、好ましくは排水弁Ｖ１が閉じられた状態で行なわれる。
【００５５】
前記した温風送風、および温水ミストの噴出も、先に述べたステップＳ１５の場合と同様に、浴室温度を上昇させるため、洗い場１１に存在する入浴者を暖めることとなり、低体温症を防止する上で効果的である。
【００５６】
好ましくは、温風送風に際し、入浴者の身体が水に濡れている場合には、温風が入浴者に当たらないように浴槽１０側に温風送風が行なわれ、また入浴者の顔部がミスト噴出ノズル４の方を向く場合には、ミスト噴出は行なわれない。このような制御によって得られる効果は、ステップＳ１５に関連して述べた効果と同様である。
【００５７】
洗い場１１に入浴者が存在している場合、この入浴者の身体が水に濡れているか否かは、それ以前に入浴者が浴槽１０の湯水に浸かっているか否か、シャワーを使っているか否かなどによって判断することが可能である。より具体的には、入浴者が浴室１内に入室した後において、給湯装置２からの給湯がなされていない状態で浴槽１０の水位に比較的大きな変化があれば、入浴者が浴槽１０の湯水に浸かったと推定することが可能であり、入浴者の身体が水に濡れていると判断することが可能である。また、シャワーを使用した場合には、その熱やシャワーの水流等を人体検知センサＳａによって検知することが可能で
あり、入浴者が浴室１に入室した後にシャワーが使用された履歴があれば、入浴者の身体は水に濡れているものと判断することが可能である。
【００５８】
前記したような低体温症を防止するための動作制御は、浴室リモコン２１Ａや台所リモコン２１Ｂにおいて、何者かによって所定のスイッチ操作がなされると終了する（Ｓ１６：ＹＥＳ，Ｓ１９）。低体温症を防止するための動作制御は、前記した所定のスイッチ操作がなされる迄は継続して実行されるが、これは浴槽１０への温水供給、温風送風、温水ミストの噴出などの各動作が常に連続して実行されるということではなく、たとえば浴室温度が、低体温症を発症する可能性がない温度域まで上昇した際には、前記した各動作を一時的に中断させてもよい。この中断後に低体温症の可能性が再度生じた場合には、前記した温水供給、温風送風、あるいは温水ミストの噴出が再開されるようにすればよい。
【００５９】
気絶などを生じた入浴者が低体温症となる可能性がない場合、制御部２０は、熱中症の可能性があるか否かをさらに判断する（Ｓ１１：ＮＯ，図４のＳ３１）。この判断においては、たとえば浴室１内の暑さ指数（WBGT：Wet-Bulb Globe Temperature）、または熱指数(Heat Index, HI)などの熱中症指数が所定値以上である場合には、熱中症の可能性があると判断するなどの手法が採用される。熱中症のかかり易さは、温度のみならず、湿度（相対湿度）も大きく影響するため、浴室温度と湿度との双方を要素とした熱中症指数（概略的な数値でもよい）を用いることが望まれる。そのための手段として、浴室リモコン２１Ａには、湿度センサＳｃも設けられる。
【００６０】
制御部２０は、入浴者が熱中症となる可能性があると判断した場合には、入浴者の体温を下げるための動作を実行する（Ｓ３１：ＹＥＳ，Ｓ３２）。この動作は、たとえば浴室乾燥機３からの冷風送風や、ミスト噴出ノズル４からの非温水ミストの噴出などである。また、気絶などを生じた入浴者が浴槽１０内に存在する場合には、排水弁Ｖ１が開いた状態で浴槽１０内に、たとえば３６．５〜３７．５℃の範囲の湯水を供給し、この湯水をいわゆる掛け流し状態とすることも有効である。３６．５〜３７．５℃の湯水は、健康な人の深部体温と一致するため、この温度範囲の湯水は、入浴者の低体温症防止作用を発揮するばかりか、熱中症防止作用も発揮する。
【００６１】
一方、熱中症の可能性がないと判断した場合には、制御部２０は、低体温症または熱中症の可能性があるか否かを継続して判断し、いずれかの可能性が発生すれば、その時点で上述したような対応動作が実行される（Ｓ３１：ＮＯ，Ｓ３３）。
【００６２】
図５は、本発明の他の実施形態を示している。同図において、前記実施形態と同一または類似の要素には、前記実施形態と同一の符号を付すこととし、その重複説明は省略する。
【００６３】
図５に示す実施形態においては、浴槽１０の排水口１０ｂに、遠隔操作可能な排水弁は設けられていない。ただし、配管部２９に遠隔操作可能な三方弁などの排水弁Ｖ３が設けられている。
【００６４】
このような構成によれば、浴槽１０の水位が循環アダプタ１０ａよりも高い場合、浴槽１０の湯水を排水弁Ｖ３から外部に排水し、浴槽１０の水位を循環アダプタ１０ａの高さまで低下させることが可能である。浴槽１０の湯水の全量を外部に排水することはできないものの、前記したように浴槽１０の水位を低下させれば、浴槽１０内において気絶などを生じた入浴者が湯水中に溺没する虞を少なくする効果が得られる。本発明でいう排水弁は、必ずしも浴槽１０の排水口１０ｂに設けられたものに限らず、本実施形態のような態様で設けられていてもよい。
【００６５】
本発明は、上述した実施形態の内容に限定されない。本発明に係る浴室システムの各部の具体的な構成は、本発明の意図する範囲内において種々に設計変更自在である。
【００６６】
上述の実施形態では、気絶などを生じた入浴者が低体温症になる可能性があるか否かを、浴室温度に基づいて判断しているが、既述したように、浴室温度以外のパラメータを用いて判断してもよい。
【００６７】
上述の実施形態では、入浴者が低体温症となる可能性がある場合に、給湯装置から浴槽への給湯、浴室乾燥機からの温風送風、およびミスト噴出ノズルからの温水ミスト供給の各手段を採用しているが、これらの手段の全てが採用されている必要はなく、これらのうちの少なくとも１つの手段が採用されていれば、本発明の技術的範囲に包摂される。また、低体温症となる可能性がある入浴者を直接または間接的に暖める手段としては、前記した手段とは異なる手段を採用することも可能である。たとえば、シャワーヘッドから温水を噴出させる手段、あるいは浴室の側壁部や床下などに暖房装置が設置されている場合、この暖房装置を駆動オンとして浴室内を暖めるといった手段を採用することもできる。ミスト噴出ノズルは、浴室乾燥機に組み付けられたものに限定されない。
【００６８】
人体検知手段は、焦電式のイメージセンサに限定されず、他の種類のセンサ類、または撮像カメラを用いることも可能である。
給湯装置は、瞬間式のものに限らず、たとえば貯湯式の給湯装置を用いることもできる。
本発明でいう浴室は、浴槽が設置されている通常の浴室に限らず、たとえば浴槽が設置されていないシャワー浴専用のシャワー室も含む概念である。本発明でいう洗い場とは、浴室のうち、浴槽以外の領域である。
【符号の説明】
【００６９】
ＢＳ  浴室システム
Ｓａ  人体検知センサ（人体検知手段）
Ｖ１，Ｖ３  排水弁
１  浴室
１０  浴槽
１１  洗い場
２  給湯装置（熱供給手段）
２０  制御部（制御手段）
３  浴室乾燥機（熱供給手段）
４  ミスト噴出ノズル（熱供給手段）
５  換気扇
【図１】
2019039591.tif 000003
【図２】
2019039591.tif 000004
【図３】
2019039591.tif 000005
【図４】
2019039591.tif 000006
【図５】
2019039591.tif 000007